(57)【要約】【課題】  光ディスク情報記録装置のライトストラテジ回路において、レジスタ部の回路規模の増加を抑え、レジスタの内容設定の書き込み回数を少なくする。【解決手段】  ストラテジパラメータが記録条件毎に一括りでまとめられ管理されるライトストラテジ回路を含む、光ディスク情報記録装置において、上記の記録条件毎のストラテジパラメータが、記録マーク長毎に、上記一括りを所定個数に分割してなるバンクの単位でまとめられ、ストラテジパラメータが上記バンク単位で送受信される、ライトストラテジ回路を提供する。【選択図】図１
2005166161.tif 000002
【特許請求の範囲】
【請求項１】
ストラテジパラメータが記録条件毎に一括りでまとめられ管理されるライトストラテジ回路を含む、光ディスク情報記録装置において、
上記の記録条件毎のストラテジパラメータが、記録マーク長毎に、上記一括りを所定個数に分割してなるバンクの単位でまとめられ、
ストラテジパラメータが上記バンク単位で送受信される、ライトストラテジ回路。
【請求項２】
上記バンク単位でのストラテジパラメータの送受信を利用して、ライトストラテジ補正を行なう請求項１に記載のライトストラテジ回路。
【請求項３】
バンクのための一時保存用バッファが設けられ、
上記一時保存用バッファを利用してストラテジパラメータを設定し、
更に、各バンクに対する一括変更を管理する第１のフラグが備わり、その第１のフラグ及び上記一時保存用バッファを利用して各バンクに対する一括変更を行ない、
加えて、一時保存用バッファに対して変更したアドレスを管理する第２のフラグが備わり、その第２のフラグ及び上記一時保存用バッファを利用して各バンクにおける変更アドレス分のみを一括変更する、
請求項１又は請求項２に記載のライトストラテジ回路。
【発明の詳細な説明】
【技術分野】
【０００１】
本発明は、光ディスク情報記録装置において、ＣＤエンコーダによりＥＦＭ変調された、又はＤＶＤエンコーダによりＥＦＭ＋変調された、シリアルデータに対して、ライトストラテジ補正を行ない、ＬＤ（Ｌａｓｅｒ  Ｄｉｏｄｅ；レーザーダイオード）ドライバにレーザー発光用の変調信号を供給する回路に関する。
【背景技術】
【０００２】
ＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、ＤＶＤ−ＲＡＭ等の光ディスク情報記録装置においては、ＣＤエンコーダにより８−１４変調（ＥＦＭ変調）されて、またはＤＶＤエンコーダにより８−１６変調（ＥＦＭ＋変調）されて、シリアルデータが生成される。このシリアルデータが光ディスク記録面上にレーザー照射されることにより、データ記録がなされる。このとき、光ディスクの記録面上にはチャンネルクロックに基づいてシリアルデータの記録マーク（マーク）が形成される。
【０００３】
そして、マーク部よりも低いパワーで照射されている部位（スペース）と記録マークの部位とでは反射率が異なるため、光ディスク記録面上にデータ記録時よりも低いパワー（再生パワー）のレーザーを照射してその反射光の強度を判別することにより、記録データの読み取りが可能となる。
【０００４】
記録マークは、光ディスク記録面上に予め形成されている溝（グルーブ）に沿って、内周部から外周部へ向かって渦巻き状で形成される。記録マークの長さは、チャンネルクロック１パルス分を（単位として）Ｔとすると、例えばＣＤの場合は３Ｔ、４Ｔ、５Ｔ、６Ｔ、７Ｔ、８Ｔ、９Ｔ、１０Ｔ、又は１１Ｔのいずれかであり、ＤＶＤの場合は３Ｔ、４Ｔ、５Ｔ、６Ｔ、７Ｔ、８Ｔ、９Ｔ、１０Ｔ、１１Ｔ、又は１４Ｔのいずれかである。
【０００５】
ところで、ＣＤエンコーダまたはＤＶＤエンコーダにより生成されるシリアルデータは、チャンネルクロック単位で変化するＮＲＺ（Ｎｏｎ  Ｒｅｔｕｒｎ  ｔｏ  Ｚｅｒｏ）信号である。この信号をそのままレーザー発光させて光ディスク記録面上にレーザーを照射すると、次のような不都合が生じる。つまり、記録面上に形成される記録マークが熱伝導等の影響を受けて、歪んだり長さが変化したりして、不均一な形になる。そうすると、読み出される際のデータが記録された際のデータと一致しなくなる。通常、光ディスク情報記録装置にはエラー訂正機能があり、少々の不一致は問題にならないが、場合によってはデータの読み出しができないといった事態も想定され得る。
【０００６】
上記のような不都合・問題点を回避するために、通常、ＥＦＭ変調若しくはＥＦＭ＋変調されたシリアルデータに対して、補正を行ない補正後の信号によりレーザー発光させている。この補正は“ライトストラテジ”と呼ばれる。つまり、記録条件に対応して最適なライトストラテジ補正を行なうことで、光ディスクメディアへの記録品質が向上する。
【０００７】
このようなライトストラテジ補正は、各光ディスク記録方式毎にそれぞれの規格が取り決められている。光ディスク情報記録装置の製造者、及び光ディスクメディアの製造者は、その規格に準拠して製品を開発する。
【０００８】
ここで、図６においてライトストラテジ補正の具体的例を示す。図６は、シリアルデータ（ＥＦＭ変調後、若しくはＥＦＭ＋変調後）から生成される複数の変調信号（ＭＷ、ＭＯ、ＭＵ）である。ＬＤドライバは、これらの変調信号から発光波形を形成する。これらの生成される変調信号の数は、光ディスク記録規格が多様化しているため増加する傾向にある。
【０００９】
また、ライトストラテジ補正は、データ記録速度の変化にも対処し得るものでなければならない。というのは、データ記録速度が変化すると、単位時間あたりに記録面上にレーザーが照射される距離が変化する。即ち、同じデータを記録する場合、低速記録時では相対的に長い時間、高速記録時では相対的に短い時間レーザーを照射することになる。これらの場合に、ライトストラテジ補正は夫々に対応させて設定することが必要となる。
【００１０】
一般的に、光ディスク記録方式には、線速度が一定となるＣＬＶ（Ｃｏｎｓｔａｎｔ  Ｌｉｎｅａｒ  Ｖｅｌｏｃｉｔｙ）方式と、角速度が一定となるＣＡＶ（Ｃｏｎｓｔａｎｔ  Ａｎｇｕｌａｒ  Ｖｅｌｏｃｉｔｙ）方式とがある。ＣＬＶ方式で記録速度を高速にするには、光ディスク内周部で回転数を相当に高くする必要があり、その場合の制御は困難である。よって、高速記録を行なうのならば、ＣＡＶ方式が適合的である。但し、ＣＡＶ方式の場合、内周部から外周部にかけて徐々に記録速度が変化する為、ライトストラテジ補正の設定も、記録途中で変更して行く必要がある。
【００１１】
図７は、一つの記録マークに対して形成されるライトストラテジ補正の複数パラメータの例である。ライトストラテジ補正のパラメータは、個別の記録条件において、予めの評価による最適な設定がテーブル化されている。記録の途中でパラメータを変更する場合に、一つの記録マークに対して異なるストラテジ補正のテーブルのパラメータが使用されると、評価上最適な発光波形とならない可能性が生じる。組み合わせによっては、レーザーが異常発光する可能性まで想定され得る。
【００１２】
上記のおそれを回避するため従来技術では、記録途中で変更されねばならないパラメータについては、設定レジスタを２段に構成している。即ち、ライトストラテジ補正のために直接利用されるのは２段目のレジスタであり、１段目のレジスタはバッファレジスタとして利用されている。つまり、ＣＰＵからは、複数回のレジスタライトにより各設定レジスタの１段目に変更すべきパラメータを設定した後、全パラメータレジスタの内容を一斉に２段目のレジスタに書き込む。
【発明の開示】
【発明が解決しようとする課題】
【００１３】
上記従来技術に対して、次のような課題を指摘することができる。
【００１４】
まず、レジスタを必ず２段分設置する必要がある。
【００１５】
またそもそも、ライトストラテジ補正について、ＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、若しくはＤＶＤ−ＲＡＭ等の各光ディスク記録方式毎に規格化がなされているが、光ディスク情報記録装置がこれら複数の光ディスク規格に対応するならば、ライトストラテジ補正により形成する変調信号の種類や、ライトストラテジ補正で使用するパラメータの数を増やすことになる。
【００１６】
これらのことから、ライトストラテジ補正回路に占めるレジスタ回路の割合が増大する傾向にあり、しかも、ライトストラテジ補正回路そのものの回路規模が増大する傾向にある。そして、パラメータ数の増加によりＣＰＵからのレジスタライト回数も増加してしまう。
【００１７】
そこで本発明は、レジスタ部の回路規模の増加を抑えることと、レジスタの内容設定の書き込み回数を少なくすることとを目的とする。
【課題を解決するための手段】
【００１８】
本発明は、上記の目的を達成するためになされたものである。本発明に係る請求項１に記載のライトストラテジ回路は、
ストラテジパラメータが記録条件毎に一括りでまとめられ管理されるライトストラテジ回路を含む、光ディスク情報記録装置において、
上記の記録条件毎のストラテジパラメータが、記録マーク長毎に、上記一括りを所定個数に分割してなるバンクの単位でまとめられ、
ストラテジパラメータが上記バンク単位で送受信される、ライトストラテジ回路である。
【００１９】
本発明に係る請求項２に記載のライトストラテジ回路は、
上記バンク単位でのストラテジパラメータの送受信を利用して、ライトストラテジ補正を行なう請求項１に記載のライトストラテジ回路である。
【００２０】
本発明に係る請求項３に記載のライトストラテジ回路は、
バンクのための一時保存用バッファが設けられ、
上記一時保存用バッファを利用してストラテジパラメータを設定し、
更に、各バンクに対する一括変更を管理する第１のフラグが備わり、その第１のフラグ及び上記一時保存用バッファを利用して各バンクに対する一括変更を行ない、
加えて、一時保存用バッファに対して変更したアドレスを管理する第２のフラグが備わり、その第２のフラグ及び上記一時保存用バッファを利用して各バンクにおける変更アドレス分のみを一括変更する、
請求項１又は請求項２に記載のライトストラテジ回路である。
【発明の効果】
【００２１】
ライトストラテジ補正のパラメータ設定は、記録の途中でも変更しなければならないことがある（例えば、ＣＡＶ記録方式の場合）。そのような場合に対応する回路を形成するのであっても、バッファ用のレジスタを削減することができる。
【００２２】
ストラテジパラメータをバンク毎に管理し、各バンクへの書込みはバッファ用のレジスタを経由して行なうことにより一括変更可能であるが、バッファバンクに対して書込みを行なう際に、変更したアドレスを記憶しておく変更アドレスフラグを設けることにより、バッファバンクから各バンクへの一括変更時に書込みしたアドレスのみを変更可能にできる。また、この変更アドレスフラグが一括変更時にクリアするかしないかの選択が可能であれば変更アドレスフラグを保持した場合には、バッファバンクの内容を連続して書き込むことが可能となり、ストラテジパラメータ設定時に必要なアクセス回数も削減することができる。
【発明を実施するための最良の形態】
【００２３】
以下、図面を参照して本発明に係る好適な実施形態を説明する。
【００２４】
図２は、本発明に係る光ディスク情報記録装置２におけるライトストラテジ補正回路４周辺の構成を示す。図２において、ＣＤエンコーダまたはＤＶＤエンコーダ６で生成されるシリアルデータが、ライトストラテジ補正回路４に取り込まれる。ライトストラテジ補正回路４はそのデータパターンに応じて複数の変調信号をＬＤドライバ８へと出力する。ＬＤドライバ８は、変調信号を基にレーザーダイオード１０に発光信号を出力し、レーザー光を光ディスク１２へと照射する。
【００２５】
ライトストラテジ補正用のパラメータ設定は、予め、各光ディスクの記録方式、光ディスクメディアの製造者、記録速度などの条件毎に、整理されてテーブル化される。整理されたテーブルは、光ディスク情報記録装置２内に保持されている。そして、記録条件に応じたパラメータ設定を、ＣＰＵ１４がライトストラテジ補正回路４に送信する。この送信では、基本的に１回の送信で１つのストラテジパラメータ設定が変更される。
【００２６】
ここで、図６のように、一つの記録マークをマルチパルス列（第１の変調信号、第２の変調信号、第３の変調信号）でライトストラテジ補正を行なう場合を考える。この場合、マルチパルス列が、
（ア）記録マーク直前のスペース長と記録マーク長とにより定義されるトップパルスパラメータ（ＴＳＳ，ＴＳＰ，ＴＳＯ，ＴＳＵ）、
（イ）記録マーク長により定義されるミドルパルスパラメータ（ＴＭＳ，ＴＭＰ，ＴＭＯ，ＴＭＵ，ＴＦＳ，ＮＭＰ）、
（ウ）記録マーク長と記録マーク直後のスペース長とにより定義されるラストパルスパラメータ（ＴＬＳ，ＴＬＰ，ＴＬＯ，ＴＬＵ）、
により形成されるものとする（図７参照）。
【００２７】
記録マーク直前のスペース長がＮｓｆＴ、記録マーク長がＮｍＴ、記録マーク直後のスペース長がＮｓｒＴである場合における、上記トップパルスパラメータ設定を、
ＴＳＳ（ＮｓｆＴ，ＮｍＴ）＝ＴＳＳ＿Ｎｓｆ＿Ｎｍ
ＴＳＰ（ＮｓｆＴ，ＮｍＴ）＝ＴＳＰ＿Ｎｓｆ＿Ｎｍ
ＴＳＯ（ＮｓｆＴ，ＮｍＴ）＝ＴＳＯ＿Ｎｓｆ＿Ｎｍ
ＴＳＵ（ＮｓｆＴ，ＮｍＴ）＝ＴＳＵ＿Ｎｓｆ＿Ｎｍ
と定義する。
【００２８】
同様に、ミドルパルスパラメータ設定については、
ＴＭＳ（ＮｍＴ）＝ＴＭＳ＿Ｎｍ
ＴＭＰ（ＮｍＴ）＝ＴＭＰ＿Ｎｍ
ＴＭＯ（ＮｍＴ）＝ＴＭＯ＿Ｎｍ
ＴＭＵ（ＮｍＴ）＝ＴＭＵ＿Ｎｍ
ＴＦＳ（ＮｍＴ）＝ＴＦＳ＿Ｎｍ
ＮＭＰ（ＮｍＴ）＝ＮＭＰ＿Ｎｍ
と定義し、ラストパルスパラメータ設定については
ＴＬＳ（ＮｍＴ，ＮｓｒＴ）＝ＴＬＳ＿Ｎｍ＿Ｎｓｒ
ＴＬＰ（ＮｍＴ，ＮｓｒＴ）＝ＴＬＰ＿Ｎｍ＿Ｎｓｒ
ＴＬＯ（ＮｍＴ，ＮｓｒＴ）＝ＴＬＯ＿Ｎｍ＿Ｎｓｒ
ＴＬＵ（ＮｍＴ，ＮｓｒＴ）＝ＴＬＵ＿Ｎｍ＿Ｎｓｒ
と定義する。
【００２９】
即ち、記録マーク直前のスペース長が３Ｔで記録マーク長が５Ｔの場合には、
ＴＳＳ（３Ｔ，５Ｔ）＝ＴＳＳ＿３ｓｆ＿５ｍ
となり、ＴＳＳ＿３ｓｆ＿５ｍで与えられる設定値がＴＳＳの設定となる。
【００３０】
上記のように定義し、更に、
・記録マーク前後のスペース長として、３Ｔ、４Ｔ、５Ｔ、６Ｔ以上、の４パターンと、
・記録マークとして、３Ｔ、４Ｔ、５Ｔ、６Ｔ以上の偶数Ｔ、７Ｔ以上の奇数Ｔ、の５パターンで、
パラメータ設定をするならば、“ＴＳＳ”設定としては、
ＴＳＳ＿３ｓｆ＿３ｍ、ＴＳＳ＿４ｓｆ＿３ｍ、ＴＳＳ＿５ｓｆ＿３ｍ、ＴＳＳ＿６＋ｓｆ＿３ｍ、
ＴＳＳ＿３ｓｆ＿４ｍ、ＴＳＳ＿４ｓｆ＿４ｍ、ＴＳＳ＿５ｓｆ＿４ｍ、ＴＳＳ＿６＋ｓｆ＿４ｍ、
ＴＳＳ＿３ｓｆ＿５ｍ、ＴＳＳ＿４ｓｆ＿５ｍ、ＴＳＳ＿５ｓｆ＿５ｍ、ＴＳＳ＿６＋ｓｆ＿５ｍ、
ＴＳＳ＿３ｓｆ＿６ｅ＋ｍ、ＴＳＳ＿４ｓｆ＿６ｅ＋ｍ、ＴＳＳ＿５ｓｆ＿６ｅ＋ｍ、ＴＳＳ＿６＋ｓｆ＿６ｅ＋ｍ、
ＴＳＳ＿３ｓｆ＿７ｏ＋ｍ、ＴＳＳ＿４ｓｆ＿７ｏ＋ｍ、ＴＳＳ＿５ｓｆ＿７ｏ＋ｍ、ＴＳＳ＿６＋ｓｆ＿７ｏ＋ｍ、
の２０通りになる。
【００３１】
ＴＦＳとＮＭＰについては、記録マーク長３Ｔ、４Ｔ、５Ｔ、６Ｔ、７Ｔ、８Ｔ、９Ｔ、１０Ｔ、１１Ｔ、１４Ｔで設定するとすれば、夫々、
ＴＦＳ＿３ｍ、ＴＦＳ＿４ｍ、ＴＦＳ＿５ｍ、ＴＦＳ＿６ｍ、ＴＦＳ＿７ｍ、ＴＦＳ＿８ｍ、ＴＦＳ＿９ｍ、ＴＦＳ＿１０ｍ、ＴＦＳ＿１１ｍ、ＴＦＳ＿１４ｍ
ＮＭＰ＿３ｍ、ＮＭＰ＿４ｍ、ＮＭＰ＿５ｍ、ＮＭＰ＿６ｍ、ＮＭＰ＿７ｍ、ＮＭＰ＿８ｍ、ＮＭＰ＿９ｍ、ＮＭＰ＿１０ｍ、ＮＭＰ＿１１ｍ、ＮＭＰ＿１４ｍ
の１０通りになる。
【００３２】
このように定義されたパラメータを各記録マーク長毎にバンクにまとめる。そのバンクを図３に示す。バンクは、まず３Ｔの記録マーク長に関するパラメータを集めて形成されている。同様に、
・４Ｔの記録マーク長に関するパラメータ、
・５Ｔの記録マーク長に関するパラメータ、
・６Ｔ以上の偶数Ｔの記録マーク長に関するパラメータ、
・７Ｔ以上の奇数Ｔの記録マーク長に関するパラメータ
を夫々集めて、バンクを形成している。ここでのバンクは、アドレス００ｈ〜７Ｆｈにより管理されるデータの集合体である。図３では、個々のバンクは、バンク３、バンク４、バンク５、バンク６及びバンク７と称される。夫々のバンクにおいて、各々のパラメータは所定の位置に配置される。例えば、各バンクのアドレス００ｈ〜０３ｈではＴＳＳパラメータが設定される。なお、図３では、「ｓｆ」「ｓｒ」につき何れも「ｓ」と簡略に示している。
【００３３】
ライトストラテジ補正に関するパラメータ設定の条件毎の上記テーブルは、必要な複数のバンクから構成されることになる。
【００３４】
ここで、第１のテーブルのストラテジパラメータから、第２のテーブルのストラテジパラメータへ切り替えを実施する場合を考える。図５に示すように従来技術では、第２のテーブルのパラメータをＣＰＵの指示によりバッファレジスタ３０へ書き込み、設定につき全て書き込み完了した後に、バッファレジスタ３０から（第１のテーブルが存在している）パラメータレジスタ３２へ一括切替えを行なっていた。これに対して本実施の形態では、この切り替えをバンク毎に実施する。
【００３５】
即ち、≪従来≫では、
・第２のテーブルの設定→バッファレジスタ→パラメータレジスタ
という流れになる。
【００３６】
一方、≪バンク毎≫に行なう場合には次のような流れとなる（図１）。
第２のテーブルの３Ｔマーク設定→バッファレジスタ→バンク３のパラメータレジスタ→
第２のテーブルの４Ｔマーク設定→バッファレジスタ→バンク４のパラメータレジスタ→
第２のテーブルの５Ｔマーク設定→バッファレジスタ→バンク５のパラメータレジスタ→
第２のテーブルの６Ｔ以上の偶数Ｔマーク設定→バッファレジスタ→バンク６のパラメータレジスタ→
第２のテーブルの７Ｔ以上の奇数Ｔマーク設定→バッファレジスタ→バンク７のパラメータレジスタ
【００３７】
このように、≪バンク毎≫に行なう場合、切り替え回数が上記例では（１回から）５回になるが、バッファレジスタ２０としてバンク内の設定値分が用意されればよいから、バッファの大きさは１／５でよいことになる。
【００３８】
また、上記の≪バンク毎≫の切り替えの場合、バンク７のパラメータが変更されるまでは第１のテーブルと第２のテーブルのパラメータが混在するが、一つの大きさの記録マークを形成する上ではパラメータの混在は無い。よって、発光波形は、評価上も最適な波形となる。更に、記録速度の変化のために切り替える場合に、ＣＡＶ記録方式にて記録速度は徐々に変化するのであるから、切り替え時付近では第１のテーブルと第２のテーブルのどちらを使用してもマークの形成にはあまり差異が無い。よって、バンク別にパラメータが混在しても記録マークは問題なく形成される。
【００３９】
続いて、図３のようにバンク管理した場合のレジスタアクセス方法の例を示す。図３のバンクは、アドレス７ビット、データ８ビットである。例えば、図３のバンクの００ｈ行、＋０列は、アドレス００ｈのパラメータを表している。同様に１０ｈ行、＋Ｅ列は、アドレス１Ｅｈのものである。
【００４０】
ストラテジパラメータは、００ｈ〜２Ｆｈのアドレス内にまとめられる。また、アドレス７Ｆｈには、各バンク共用としてバンク切替用のＢＡＮＫレジスタが用意されている。このＢＡＮＫレジスタは、図４のように、
・一括変更レジスタ“ＢｌｋＬｏａｄ”、
・変更アドレスフラグクリアレジスタ“ＦｌａｇＣｌｒ”、
・バンク設定レジスタ“Ｂａｎｋ”、
からなっている。
【００４１】
バッファレジスタ（バッファバンク）２０（図１参照）も、００ｈ〜２Ｆｈのアドレスを持っている。“Ｂａｎｋ”設定が３、４、５、６、７である場合、まずバッファレジスタ２０へ書き込まれる。
【００４２】
ところで、上記各アドレス（００ｈ〜２Ｆｈ）に対応するフラグレジスタ（変更アドレスフラグ）（図示せず。）が別途設けられている。上記のようにバッファレジスタ２０の書き込みが為されたアドレスについては、同時に変更アドレスフラグが“１”とされる。
【００４３】
そして、“ＢｌｋＬｏａｄ”レジスタに“１”が設定されると、その時に“Ｂａｎｋ”レジスタにおいて設定されている値のバンクに対し、変更アドレスフラグが“１”となっているアドレスのバッファレジスタ２０での値が書き込みされる。この一括変更時において、“ＦｌａｇＣｌｒ”レジスタが“１”に設定されているならば、変更アドレスフラグがクリアされる（“０”にされる）。
【００４４】
従って、変更アドレスフラグがクリアされない限り、そのアドレスのバッファレジスタでの値が、“ＢｌｋＬｏａｄ”レジスタが“１”に設定された場合に対象バンクに書き込みされる。この機能を利用すると、例えば、バンク３のあるアドレスに設定したある値を、バンク４のそのアドレスにも続けて同じく設定することができる。
【００４５】
このように、“Ｂａｎｋ”レジスタ及び変更アドレスフラグ（レジスタ）を設けることにより、回路規模を削減することのみならず、アクセス回数も削減することが可能になる。
【図面の簡単な説明】
【００４６】
【図１】本発明に係るバッファレジスタとパラメータレジスタとの関係図である。
【図２】本発明に係る光ディスク情報記録装置におけるライトストラテジ補正回路周辺の構成を示す。
【図３】ライトストラテジパラメータのテーブル及びバンクの構成の例である。
【図４】本発明に係る、各バンク共用のバンク切替用のＢＡＮＫレジスタの構成例である。
【図５】従来技術のバッファレジスタとパラメータレジスタとの関係図である。
【図６】ライトストラテジ補正の具体的例を示す。
【図７】一つの記録マークに対して形成されるライトストラテジ補正の複数パラメータの例である。
【符号の説明】
【００４７】
２・・・光ディスク情報記録装置、４・・・ライトストラテジ補正回路、６・・・ＣＤエンコーダまたはＤＶＤエンコーダ、８・・・ＬＤドライバ８、１０・・・レーザーダイオード、１２・・・光ディスク、１４・・・ＣＰＵ、２０、３０・・・バッファレジスタ、２２、３２・・・パラメータレジスタ。
【図１】
2005166161.tif 000003
【図２】
2005166161.tif 000004
【図３】
2005166161.tif 000005
【図４】
2005166161.tif 000006
【図５】
2005166161.tif 000007
【図６】
2005166161.tif 000008
【図７】
2005166161.tif 000009